(57)【特許請求の範囲】
【請求項１】
２つの耐熱絶縁層により狭着される発熱体を備えた円筒形の無端ベルトと、この無端ベルトと対向して回転可能に配置された搬送ローラと、前記無端ベルトの内側で搬送ローラと対向する位置に配置された当て部材と、この当て部材に取り付けられ、無端ベルトの幅方向端部の外周面に設けられた受電部材に摺接して発熱体に給電する給電部材とを備え、前記無端ベルトと搬送ローラとの間に被加熱材を通過させて定着を行う定着装置の加熱装置であって、
前記無端ベルトが回転する搬送ローラに対して滑りを生ずることなく移動することを可能とする手段が設けられ、前記当て部材に対して無端ベルトを介して搬送ローラ側に所定の圧力を付与する手段が設けられ、この圧力付与手段からの圧力を受けて当て部材が無端ベルトを搬送ローラに押圧し、所定の幅のニップ部を形成し、該ニップ部で受電部材と摺接する給電部材から給電することを特徴とする定着装置の加熱装置。
【発明の詳細な説明】
【０００１】
【発明の属する技術分野】
この発明は、複写機等の電子写真装置の定着装置の加熱装置に関する。
【０００２】
【従来の技術】
従来この種の電子写真装置の定着装置の加熱装置においては、無端ベルトの外周面と、これと対向する搬送ローラの外周面とを圧接させ、搬送ローラを回転して無端ベルトを移動させ、それらの間を被加熱材を通過させるようにしたものである。
【０００３】
しかしながら、このようなものは、無端ベルトと搬送ローラとの接触面の摩擦力が低下して両者間に滑りが生じることがなく、両者間に速度差が発生することがなくて、被加熱材の搬送に支障を来すという問題がある。
【０００４】
【発明が解決しようとする課題】
そこでこの発明の目的は、前記のような従来の加熱装置のもつ問題を解消し、無端ベルトと搬送ローラとの接触面の摩擦力が低下して両者間に滑りが生じることがなく、両者間に速度差が発生することがなくて、被加熱材の搬送に支障を来すことがない定着装置の加熱装置を提供することにある。
【０００５】
【課題を解決するための手段】
この発明は前記のような目的を達成するために、２つの耐熱絶縁層により狭着される発熱体を備えた円筒形の無端ベルトと、この無端ベルトと対向して回転可能に配置された搬送ローラと、前記無端ベルトの内側で搬送ローラと対向する位置に配置された当て部材と、この当て部材に取り付けられ、無端ベルトの幅方向端部の外周面に設けられた受電部材に摺接して発熱体に給電する給電部材とを備え、前記無端ベルトと搬送ローラとの間に被加熱材を通過させて定着を行う定着装置の加熱装置であって、前記無端ベルトが回転する搬送ローラに対して滑りを生ずることなく移動することを可能とする手段が設けられ、前記当て部材に対して無端ベルトを介して搬送ローラ側に所定の圧力を付与する手段が設けられ、この圧力付与手段からの圧力を受けて当て部材が無端ベルトを搬送ローラに押圧し、所定の幅のニップ部を形成することを特徴とするものである。
【０００６】
【発明の実施の形態】
図１〜６に示すこの発明の第１実施形態において、図１は加熱装置を装着した電子写真装置の概要を示し、５０はプロセスカートリッジ、５１は回転ドラム型の感光体（以下ドラムという）、５２は帯電器、５３は現像装置、５４はクリーニング装置を示し、プロセスカートリッジ５０は開閉部５５を開けて装置内を開放することによって、装置内の所定位置に着脱することができる。このようなものにおいて、画像形成スタート信号によってドラム５１が矢印の方向に回転駆動され、その表面が帯電器５２によって所定の極性・電位に一様に帯電され、その帯電処理面に対してレーザスキャナ５６から出力される目的の画像情報の時系列電気デジタル画素信号に対応して、変調されたレーザビーム５７による主走査露光がされることで、ドラム５１面に目的の画像情報に対応した静電潜像が順次形成され、この潜像はついで現像装置５３でトナー像として顕画化される。
【０００７】
【課題を解決するための手段】
この発明は前記のような目的を達成するために、２つの耐熱絶縁層により狭着される発熱体を備えた円筒形の無端ベルトと、この無端ベ２つの耐熱絶縁層により狭着される発熱体を備えた円筒形の無端ベルトと、この無端ベルトと対向して回転可能に配置された搬送ローラと、前記無端ベルトの内側で搬送ローラと対向する位置に配置された当て部材と、この当て部材に取り付けられ、無端ベルトの幅方向端部の外周面に設けられた受電部材に摺接して発熱体に給電する給電部材とを備え、前記無端ベルトと搬送ローラとの間に被加熱材を通過させて定着を行う定着装置の加熱装置であって、前記無端ベルトが回転する搬送ローラに対して滑りを生ずることなく移動することを可能とする手段が設けられ、前記当て部材に対して無端ベルトを介して搬送ローラ側に所定の圧力を付与する手段が設けられ、この圧力付与手段からの圧力を受けて当て部材が無端ベルトを搬送ローラに押圧し、所定の幅のニップ部を形成し、該ニップ部で受電部材と摺接する給電部材から給電することを特徴とするものである。
【０００８】
図２〜６には加熱装置１を収納した定着装置２の詳細が示されており、この定着装置２は両端に起立部５を有するメインフレーム４と、これに被冠されるカバー６とを有し、メインフレーム４の起立部５の上縁に開口部７が、またその下方にこれと連接した支持孔８が設けられ、この支持孔８に軸受９を介して搬送ローラ１１のローラ軸１２が支持されており、その軸端には歯車１０が取付けられている。この搬送ローラ１１の上部に円筒形の無端ベルト１３が配置され、この無端ベルト１３の内部で搬送ローラ１１と対向する位置に当て部材１６が配置され、この当て部材１６は耐熱性の樹脂によって形成され、その両端部１９は開口部７に上下動可能に摺嵌され、そこに設けた凹部１７とカバー６との間にばね１８が保持され、このばね１８によって無端ベルト１３を搬送ローラ１１に押圧して幅Ｎのほぼ平面状のニップ部１４を形成するようになっている。
【０００９】
無端ベルト１３は図５，６に示すようになっていて、発熱部２０を有し、この発熱部２０は複数の発熱体２１によって構成され、これらの発熱体２１は２つの耐熱絶縁層２２に挟着されていて、その両端に設けた端子２３を介して外周面に形成された受電部材２４に接続されており、発熱体２１のパターン、密度等は出力値（Ａ数）の大きさによって任意に設定される。この発熱部２０への給電は図２，３に示す給電部材２６によって行われ、この給電部材２６は屈曲片２７の両端にコネクタ２８と接点２９とが設けられたものからなっていて、当て部材１６に取付けられている。
【００１０】
前記のものが従来の電子写真装置と同様にして、画像形成スタート信号によってドラム５１の表面に帯電器５２によって潜像が形成され、現像装置５３においてトナー像が形成され、ドラム５１はこのトナー像を担持して回転し、転写装置６３において被加熱材３の表面にドラム５１上に形成されたトナー像を転写し、定着装置２の加熱装置１によって被加熱材３上にトナー像を加熱定着させて、排出することとなる。そして加熱装置１によって被加熱材３上にトナー像を加熱定着させる際、メインフレーム４に回転可能に支持された搬送ローラ１１が図示しない駆動部材により歯車１０を介して回転し、これにカバー６との間に保持されたばね１８によってメインフレーム４の開口部７に上下動可能に摺嵌された当て部材１６を介して、無端ベルト１３を搬送ローラ１１に押圧して搬送ローラ１１とほぼ平面状のニップ部１４を形成しながら、摩擦力によって無端ベルト１３が搬送ローラ１１と同期して移動し、長期使用によってもばね１８の押圧力によって無端ベルト１３と搬送ローラ１１との接触面の摩擦力が低下して両者間に滑りが生じることがなく、両者間に速度差が発生することがなくて被加熱材３の搬送に支障を来すことがない。
【００１１】
図７〜９に示す第２実施形態は、多くの部分が第１実施形態と同様に構成されているので、同部分には同一の符号を付して説明を省略し、主として異なる部分について説明する。この実施形態は当て部材１６に代えて当てローラ３０を使用し、その回転軸３１の両端部に支持駒３２を着脱可能に嵌着し、この支持駒３２をその嵌合溝３３によってメインフレーム４の起立部５の開口部７の側縁に上下動可能に摺嵌し、支持駒３２に設けた凹部１７とカバー６との間にばね１８が保持され、このばね１８によって支持駒３２が無端ベルト１３を搬送ローラ１１に押圧する点で、第１実施形態と相違するだけであり、その作用も同実施形態と同様であるので、説明を省略する。
【００１２】
図１０，１１に示す第３実施形態は、無端ベルト１３に回転する搬送ローラ１１に対して滑りを生じさせないために、無端ベルト１３と搬送ローラ１１のローラ軸１２との対向端部に噛合する歯車３６，３７を設けた点で、また搬送ローラ１１に対して滑りを生じさせないために、図１２に示す第４実施形態は、無端ベルト１３に回転する搬送ローラ１１に対して滑りを生じさせないために、無端ベルト１３と搬送ローラ１１との対向端部に互いに係合する係合凸部４１及び係合凹部４２を設けた点で、それぞれ第１，２実施形態と相違するだけであり、その作用も同実施形態と同様であるので説明を省略する。なお第４，５実施形態において凹部、孔部、凸部はそれぞれ反対部材に設けられてもよい。
【００１３】
図１３に示す第５実施形態は、第１実施形態において、無端ベルト１３の外周面にシリコンオイル等の離型剤４３を塗布する塗布手段４４を設け、無端ベルト１３の内部の離型剤４３に対向する位置に副当て部材４６を設けたものであって、離型剤４３は無端ベルト１３の被加熱材３上に担持されているトナー等に対する非接着性を向上させ、これによって無端ベルト１３の表面にトナー等が付着するのを防止することとなる。
【００１４】
【発明の効果】
この発明は前記のようであって、２つの耐熱絶縁層により狭着される発熱体を備えた円筒形の無端ベルトと、この無端ベルトと対向して回転可能に配置された搬送ローラと、前記無端ベルトの内側で搬送ローラと対向する位置に配置された当て部材と、この当て部材に取り付けられ、無端ベルトの幅方向端部の外周面に設けられた受電部材に摺接して発熱体に給電する給電部材とを備え、前記無端ベルトと搬送ローラとの間に被加熱材を通過させて定着を行う定着装置の加熱装置であって、前記無端ベルトが回転する搬送ローラに対して滑りを生ずることなく移動することを可能とする手段が設けられ、前記当て部材に対して無端ベルトを介して搬送ローラ側に所定の圧力を付与する手段が設けられ、この圧力付与手段からの圧力を受けて当て部材が無端ベルトを搬送ローラに押圧し、所定の幅のニップ部を形成し、該ニップ部で受電部材と摺接する給電部材から給電するので、無端ベルトと搬送ローラとの接触面の摩擦力が低下して両者間に滑りが生じて速度差が発生することがなく、被加熱材の搬送に支障を来すことがないという効果がある。
【図面の簡単な説明】
【図１】  この発明の第１実施形態の概略的正面図である。
【図２】  同上の主要部の縦断正面図である。
【図３】  同上の分解斜面図である。
【図４】  図２の加熱装置につき線４−４による断面図である。
【図５】  同上の無端ベルトの斜面図である。
【図６】  同無端ベルトの一部の拡大図である。
【図７】  この発明の第２実施形態の定着装置の縦断正面図である。
【図８】  同上の分解斜面図である。
【図９】  図７の加熱部につき線９−９による断面図である。
【図１０】  この発明の第３実施形態の加熱部の一部の正面図である。
【図１１】  同上の分解斜面図である。
【図１２】  この発明の第４実施形態の加熱部の一部の分解斜面図である。
【図１３】  この発明の第５実施形態の加熱部の縦断面図である。
【符号の説明】
２  定着装置
３  被加熱材
１１  搬送ローラ
１２  ローラ軸
１３  無端ベルト
１４  ニップ部
１６  当て部材
１８  ばね
２１  発熱体
２２  耐熱絶縁層
２４  受電部材
２６  給電部材
５０  プロセスカートリッジ
５１  ドラム
５２  帯電器
５３  現像装置
５４  クリーニング装置
５５  開閉部
５６  レーザスキャナ
５８  給紙カセット
５９  給紙ローラ
６０  分離パッド
６１  レジストローラ対
６３  転写装置
６４  ガイド
６５  ガイド
６６，６７  出口
【図１】
0003793742.tif 000002
【図２】
0003793742.tif 000003
【図３】
0003793742.tif 000004
【図４】
0003793742.tif 000005
【図５】
0003793742.tif 000006
【図６】
0003793742.tif 000007
【図７】
0003793742.tif 000008
【図８】
0003793742.tif 000009
【図９】
0003793742.tif 000010
【図１０】
0003793742.tif 000011
【図１１】
0003793742.tif 000012
【図１２】
0003793742.tif 000013
【図１３】
0003793742.tif 000014